(57)【要約】【課題】データの書き込みのための負荷を軽減させることができる電子装置、電子装置の駆動方法、電気光学装置、電気光学装置の駆動方法及び電子機器を提供する。【解決手段】各画素回路２０は、各走査線Ｙ１〜Ｙ９と各データ線Ｘ１〜Ｘ９との交差部に対応して配置され、それぞれ対応する走査線が選択されてデータ線駆動回路１２からの画像データ信号又は文字データ信号がそれぞれ対応するデータ線を介して供給される。走査線駆動回路１３は、各走査線Ｙ１〜Ｙ９について、画像データ信号を画素回路に供給するために走査線を選択する他に、１フレーム内において、文字データ信号を画素回路に供給するために走査線を選択する。【選択図】        図２
2005043460.tif 000002
【特許請求の範囲】
【請求項１】
複数の走査線と複数のデータ線との交差部に対応して配置された複数の単位回路と、
前記複数のデータ線の少なくとも一部のデータ線にアナログデータ信号を出力する第１データ線駆動回路部と、
前記複数のデータ線の少なくとも一部のデータ線にデジタルデータ信号を出力する第２データ線駆動回路部と、
前記複数の単位回路のうち前記アナログデータ信号が供給される単位回路を選択するための第１の選択信号を出力し、及び前記デジタルデータ信号が供給される単位回路を選択するための第２の選択信号を出力する走査線駆動回路と、を含み、
前記アナログデータ信号と前記デジタルデータ信号とはともに１フレーム内に出力されること、
を特徴とする電子装置。
【請求項２】
複数の走査線と複数のデータ線との交差部に対して配置された複数の単位回路と、
前記複数のデータ線の少なくとも一部のデータ線にアナログデータ信号を出力する第１データ線駆動回路部と、
前記複数のデータ線の少なくとも一部のデータ線にデジタルデータ信号を出力する第２データ線駆動回路部と、
前記複数の単位回路のうち前記アナログデータ信号が供給される単位回路を選択するための第１の選択信号を出力し、及び前記デジタルデータ信号が供給される単位回路を選択するための第２の選択信号を出力する走査線駆動回路と、を含み、
前記アナログデータ信号と前記デジタルデータ信号とは交互に出力されること、
を特徴とする電子装置。
【請求項３】
請求項１又は２に記載の電子装置において、
前記複数の走査線のうち前記第１の選択信号が出力される走査線と、前記第１の選択信号が出力された直後に前記第２の選択信号を出力する走査線とは、互いに異なっていること、
を特徴とする電子装置。
【請求項４】
請求項１〜３にいずれか１つに記載の電子装置において、
前記複数の走査線のうち前記第１の選択信号が出力される走査線と、前記第１の選択信号が出力された直後に前記第２の選択信号が出力される走査線とは、互いに隣り合っていないこと、
を特徴とする電子装置。
【請求項５】
請求項１〜４のいずれか１つに記載の電子装置において、
前記アナログデータ信号は、電流信号であり、前記デジタルデータ信号は電圧信号であることを特徴とする電子装置。
【請求項６】
複数の走査線と複数のデータ線との交差部に対応して配置された複数の単位回路を備えた電子装置の駆動方法であって、
前記複数のデータ線のうち少なくとも一部のデータ線にアナログデータ信号を出力する第１のステップと、
前記複数のデータ線のうち少なくとも一部のデータ線にデジタルデータ信号を出力する第２のステップと、を含み、
前記複数の単位回路のうち、前記アナログデータ信号が供給される単位回路を選択するための第１の選択信号を出力し、
前記複数の単位回路のうち、前記デジタルデータ信号が供給される単位回路を選択するための第２の選択信号を出力し、
前記複数の走査線のうち、前記第１の選択信号が出力される走査線と、前記第１の選択信号が出力された直後に前記第２の選択信号が出力される走査信号とは、互いに異なっていること、
を特徴とする電子装置の駆動方法。
【請求項７】
複数の走査線と複数のデータ線との交差部に対応して配置された複数の単位回路を備えた電子装置の駆動方法であって、
前記複数のデータ線のうち少なくとも一部のデータ線に電流信号を出力する第１のステップと、
前記複数のデータ線のうち少なくとも一部のデータ線に電圧信号を出力する第２のステップと、を含み、
前記複数の単位回路のうち、前記電流信号が供給される単位回路を選択するための第１の選択信号を出力し、
前記複数の単位回路のうち、前記電圧信号が供給される単位回路を選択するための第２の選択信号を出力すること、
を特徴とする電子装置の駆動方法。
【請求項８】
請求項７に記載の電子装置の駆動方法において、
前記第１の選択信号及び第２の選択信号を出力し、
前記複数の走査線のうち、前記第１の選択信号が出力される走査信号と、前記第２の選択信号が出力される走査信号とは、互いに異なっていること、
ことを特徴とする電子装置の駆動方法。
【請求項９】
請求項６又は８に記載の電子装置の駆動方法において、
前記複数の走査線のうち前記第１の選択信号が出力される走査線と、前記第１の選択信号が出力された直後に前記第２の選択信号が出力される走査線とは、互いに隣り合っていないこと、
を特徴とする電子装置の駆動方法。
【請求項１０】
複数の走査線と複数のデータ線との交差部に対応して配置された複数の単位回路と、
前記複数のデータ線の少なくとも一部のデータ線に画像データ信号を出力する第１データ線駆動回路部と、
前記複数のデータ線の少なくとも一部のデータ線に文字データ信号を出力する第２データ線駆動回路部と、
前記複数の単位回路のうち前記画像データ信号が供給される単位回路を選択するための第１の選択信号を出力し、及び前記文字データ信号が供給される単位回路を選択するための第２の選択信号を出力する走査線駆動回路と、を含み、
前記画像データ信号と前記文字データ信号とはともに１フレーム内に出力されること、
を特徴とする電気光学装置。
【請求項１１】
請求項１０に記載の電気光学装置において、
前記複数の走査線のうち前記第１の選択信号が出力される走査線と、前記第１の選択信号が出力された直後に前記第２の選択信号を出力する走査線とは、互いに異なっていること、
を特徴とする電気光学装置。
【請求項１２】
請求項１０又は１１に記載の電気光学装置において、
前記複数の走査線のうち前記第１の選択信号が出力される走査線と、前記第１の選択信号が出力された直後に前記第２の選択信号が出力される走査線とは、互いに隣り合っていないこと、
を特徴とする電気光学装置。
【請求項１３】
請求項１０〜１２のいずれか１つに記載の電気光学装置において、
前記画像データ信号は、アナログデータ信号であり、前記文字データ信号はデジタルデータ信号であることを特徴とする電気光学装置。
【請求項１４】
請求項１０〜１３のいずれか１つに記載の電気光学装置において、
前記画像データ信号は、電流信号であり、前記文字データ信号は電圧信号であることを特徴とする電気光学装置。
【請求項１５】
複数の走査線と複数のデータ線との交差部に対応して配置された複数の単位回路を備えた電気光学装置の駆動方法であって、
前記複数のデータ線のうち少なくとも一部のデータ線に画像データ信号を出力する第１のステップと、
前記複数のデータ線のうち少なくとも一部のデータ線に文字データ信号を出力する第２のステップと、を含み、
前記複数の単位回路のうち、前記画像データ信号が供給される単位回路を選択するための第１の選択信号を出力し、
前記複数の単位回路のうち、前記文字データ信号が供給される単位回路を選択するための第２の選択信号を出力し、
前記複数の走査線のうち、前記第１の選択信号が出力される走査線と、前記第１の選択信号が出力された直後に前記第２の選択信号が出力される走査線とは、互いに異なっていること、
を特徴とする電気光学装置の駆動方法。
【請求項１６】
複数の走査線と複数のデータ線との交差部に対応して配置された複数の単位回路を備えた電気光学装置の駆動方法であって、
前記複数のデータ線のうち少なくとも一部のデータ線に電流信号を出力する第１のステップと、
前記複数のデータ線のうち少なくとも一部のデータ線に電圧信号を出力する第２のステップと、を含み、
前記複数の単位回路のうち、前記電流信号が供給される単位回路を選択するための第１の選択信号を出力し、
前記複数の単位回路のうち、前記電圧信号が供給される単位回路を選択するための第２の選択信号を出力すること、
を特徴とする電気光学装置の駆動方法。
【請求項１７】
請求項１６に記載の電気光学装置の駆動方法において、
前記複数の走査線のうち、前記第１の選択信号が出力される走査線と、前記第１の選択信号が出力された直後に前記第２の選択信号が出力される走査線とは、互いの異なっていること、
ことを特徴とする電子装置の駆動方法。
【請求項１８】
請求項１５又は１７に記載の電気光学装置の駆動方法において、
前記複数の走査線のうち前記第１の選択信号が出力される走査線と、前記第１の選択信号が出力された直後に前記第２の選択信号が出力される走査線とは、互いに隣り合っていないこと、
を特徴とする電気光学装置の駆動方法。
【請求項１９】
請求項１０〜１４のいずれか１つに記載の電気光学装置を搭載した電子機器。
【発明の詳細な説明】
【０００１】
【発明の属する技術分野】
本発明は、電子装置、電子装置の駆動方法、電気光学装置、電気光学装置の駆動方法及び電子機器に関する。
【０００２】
【従来の技術】
従来、電気光学装置において、画像表示に文字を重畳させて表示するスーパーインポーズ表示がある（例えば、特許文献１）。
【０００３】
【特許文献１】
特開平５−２３２８９２
【０００４】
【発明が解決しようとする課題】
ところで、スーパーインポーズ表示において、電気光学装置の大型化、高精細化が進むにつれて、書き込み時間の短縮が求められる。しかし、画像表示のために供給するアナログデータは、階調度によって書き込み速度が異なり、スーパーインポーズ表示に支障をきたす可能性がある。特に有機エレクトロルミネッセンス表示装置などで、アナログデータ信号からなる画像データを書き込む場合は低階調度での書き込みに時間を要し書き込み不足が深刻となる。つまり、その画像データを書き込むための信号処理時間を確保して信号処理の負荷を軽減させないと、高精細なスーパーインポーズ表示が極めて困難となる。
【０００５】
本発明は、データ信号の書き込みのための負荷を軽減させることができる電子装置、電子装置の駆動方法、電気光学装置、電気光学装置の駆動方法及び電子機器を提供することにある。
【０００６】
【課題を解決するための手段】
本発明における電子装置は、複数の走査線と複数のデータ線との交差部に対応して配置された複数の単位回路と、前記複数のデータ線の少なくとも一部のデータ線にアナログデータ信号を出力する第１データ線駆動回路部と、前記複数のデータ線の少なくとも一部のデータ線にデジタルデータ信号を出力する第２データ線駆動回路部と、前記複数の単位回路のうち前記アナログデータ信号が供給される単位回路を選択するための第１の選択信号を出力し、及び前記デジタルデータ信号が供給される単位回路を選択するための第２の選択信号を出力する走査線駆動回路を含み、前記アナログデータ信号と前記デジタルデータ信号とはともに１フレーム内に出力される。
【０００７】
これによれば、１フレーム内において、各走査線の各々は、アナログデータ信号を単位回路に供給するために走査線を選択する選択と、デジタルデータ信号を単位回路に供給するために走査線を選択する選択とが行われる。つまり、アナログデータ信号を単位回路に供給するための期間とデジタルデータ信号を単位回路に供給するための期間を設けた。その結果、アナログデータ信号の信号処理期間とデジタルデータ信号の信号処理期間を個々に設定でき、例えば、アナログデータ信号の信号処理の負荷を軽減させることができる。
【０００８】
本発明における電子装置は、複数の走査線と複数のデータ線との交差部に対して配置された複数の単位回路と、前記複数のデータ線の少なくとも一部のデータ線にアナログデータ信号を出力する第１データ線駆動回路部と、前記複数のデータ線の少なくとも一部のデータ線にデジタルデータ信号を出力する第２データ線駆動回路部と、前記複数の単位回路のうち前記アナログデータ信号が供給される単位回路を選択するための第１の選択信号を出力し、及び前記デジタルデータ信号が供給される単位回路を選択するための第２の選択信号を出力する走査線駆動回路とを含み、前記アナログデータ信号と前記デジタルデータ信号とは交互に出力される。
【０００９】
これによれば各走査線の各々は、アナログデータ信号を単位回路に供給するために走査線を選択する選択と、デジタルデータ信号を単位回路に供給するために走査線を選択する選択とが交互に行われる。つまり、アナログデータ信号を単位回路に供給するための期間とデジタルデータ信号を単位回路に供給するための期間が交互に設けられた。その結果、アナログデータ信号の信号処理期間とデジタルデータ信号の信号処理期間を個々に設定でき、例えば、アナログデータ信号の信号処理の負荷を軽減させることができる。
【００１０】
この電子装置において、前記複数の走査線のうち前記第１の選択信号が出力される走査線と、前記第１の選択信号が出力された直後に前記第２の選択信号を出力する走査線とは、互いに異ならせてもよい。
【００１１】
これによれば、各走査線を選択してアナログデータ信号を単位回路に供給する期間と、各走査線を選択してデジタルデータ信号を単位回路に供給する期間を分散させることができるとともに、それら信号を供給する単位回路も分散することができる。その結果、前記第１の選択と次の第１の選択の間に前記第２の選択があるため、例えば、アナログデータ信号の信号処理時間を長く確保でき信号処理の負荷を軽減させることができる。
【００１２】
この電子装置において、前記複数の走査線のうち前記第１の選択信号が出力される走査線と、前記第１の選択信号が出力された直後に前記第２の選択信号が出力される走査線とは、互いに隣り合っていなくてもよい。
【００１３】
これによれば、各走査線を選択してアナログデータ信号を単位回路に供給する期間と、各走査線を選択してデジタルデータ信号を単位回路に供給する期間を分散させることができるとともに、それら信号を供給する単位回路も分散することができる。その結果、前記第１の選択信号と次の第１の選択信号の間に前記第２の選択信号の出力があるため、例えば、アナログデータ信号の信号処理時間を長く確保でき信号処理の負荷を軽減させることができる。
【００１４】
この電子装置において、アナログデータ信号は、電流信号であり、前記デジタルデータ信号は電圧信号であってもよい。
これによれば、例えば、電流信号よりなるアナログデータ信号の信号処理の負荷を軽減させることができる。
【００１５】
本発明の電子装置の駆動方法は、複数の走査線と複数のデータ線との交差部に対応して配置された複数の単位回路を備えた電子装置の駆動方法であって、前記複数のデータ線のうち少なくとも一部のデータ線にアナログデータ信号を出力する第１のステップと、前記複数のデータ線のうち少なくとも一部のデータ線にデジタルデータ信号を出力する第２のステップと、を含み、前記複数の単位回路のうち、前記アナログデータ信号が供給される単位回路を選択するための第１の選択信号を出力し、前記複数の単位回路のうち、前記デジタルデータ信号が供給される単位回路を選択するための第２の選択信号を出力し、１フレーム内において、前記第１の選択信号及び前記第２の選択信号を出力し、前記複数の走査線のうち、前記第１の選択信号が出力される走査線と、前記第１の選択信号が出力された直後に前記第２の選択信号が出力される走査信号とは、互いに異なっている。
【００１６】
これによれば、１フレーム内において、各走査線の各々に、アナログデータ信号を単位回路に供給するために走査線を選択する選択期間と、デジタルデータ信号を単位回路に供給するために走査線を選択する選択期間とが設けられる。つまり、１フレーム内において、アナログデータ信号を単位回路に供給するための期間とデジタルデータ信号を単位回路に供給するための期間を分散させた。その結果、アナログデータ信号の信号処理期間とデジタルデータ信号の信号処理期間を個々に設定でき、例えば、アナログデータ信号の信号処理の負荷を軽減させることができる。
【００１７】
本発明の電子装置の駆動方法は、複数の走査線と複数のデータ線との交差部に対応して配置された複数の単位回路を備えた電子装置の駆動方法であって、前記複数のデータ線のうち少なくとも一部のデータ線に電流信号を出力する第１のステップと、前記複数のデータ線のうち少なくとも一部のデータ線に電圧信号を出力する第２のステップとを含み、前記複数の単位回路のうち、前記電流信号が供給される単位回路を選択するための第１の選択信号を出力し、前記複数の単位回路のうち、前記電圧信号が供給される単位回路を選択するための第２の選択信号を出力する。
【００１８】
これによれば、各走査線の各々に、電流信号を単位回路に供給するために走査線を選択する選択期間と、電圧信号を単位回路に供給するために走査線を選択する選択期間とが設けられる。つまり、電流信号を単位回路に供給するための期間と電圧信号を単位回路に供給するための期間を分散させた。その結果、電流信号の信号処理期間と電圧信号の信号処理期間を個々に設定でき、例えば、電流信号の信号処理の負荷を軽減させることができる。
【００１９】
この電子装置の駆動方法において、前記第１の選択信号及び第２の選択信号を出力し、前記複数の走査線のうち、前記第１の選択信号が出力される走査信号と、前記第２の選択信号が出力される走査信号とは、互いに異なってもよい。
【００２０】
これによれば、各走査線を選択して電流信号を単位回路に供給する期間と、各走査線を選択して電圧信号を単位回路に供給する期間を分散させることができるとともに、それら信号を供給する単位回路も分散することができる。その結果、前記第１の選択信号と次の第１の選択信号の間に前記第２の選択信号の出力があるため、例えば、電流信号の信号処理時間を長く確保でき信号処理の負荷を軽減させることができる。
【００２１】
この電子装置の駆動方法において、前記複数の走査線のうち前記第１の選択信号が出力される走査線と、前記第１の選択信号が出力された直後に前記第２の選択信号が出力される走査線とは、互いに隣り合っていなくてもよい。
【００２２】
これによれば、各走査線を選択してアナログデータ信号を単位回路に供給する期間と、各走査線を選択してデジタルデータ信号を単位回路に供給する期間を分散させることができるとともに、それら信号を供給する単位回路も分散することができる。その結果、前記第１の選択信号と次の第１の選択信号の間に前記第２の選択信号の出力があるため、例えば、アナログデータ信号の信号処理時間を長く確保でき信号処理の負荷を軽減させることができる。
【００２３】
本発明における電気光学装置は、複数の走査線と複数のデータ線との交差部に対応して配置された複数の単位回路と、前記複数のデータ線の少なくとも一部のデータ線に画像データ信号を出力する第１データ線駆動回路部と、前記複数のデータ線の少なくとも一部のデータ線に文字データ信号を出力する第２データ線駆動回路部と、前記複数の単位回路のうち前記画像データ信号が供給される単位回路を選択するための第１の選択信号を出力し、及び前記文字データ信号が供給される単位回路を選択するための第２の選択信号を出力する走査線駆動回路とを含み、前記画像データ信号と前記文字データ信号とはともに１フレーム内に出力される。
【００２４】
これによれば、１フレーム内において、各走査線の各々は、画像データ信号を画素回路に供給するために走査線を選択する第１の選択と、文字データ信号を画素回路に供給するために走査線を選択する第２の選択とが行われる。つまり、画像データ信号を画素回路に供給するための期間と文字データ信号を画素回路に供給するための期間を分散させた。その結果、画像データ信号の信号処理レートと文字データ信号の信号処理レートを個々に設定でき、例えば、画像データ信号の信号処理の負荷を軽減させることができる。その結果、スーパーインポーズ表示において高品位な画像を得ることができる。
【００２５】
この電気光学装置において、前記複数の走査線のうち前記第１の選択信号が出力される走査線と、前記第１の選択信号が出力された直後に前記第２の選択信号を出力する走査線とは、互いに異なっていてもよい。
【００２６】
これによれば、各走査線を選択して画像データ信号を画素回路に供給する期間と、各走査線を選択して文字データ信号を画素回路に供給する期間を分散させることができるとともに、それら信号を供給する画素回路も分散することができる。その結果、前記第１の選択信号と次の第１の選択信号の間に前記第２の選択信号の出力があるため、例えば、画像データ信号の信号処理時間を長く確保でき信号処理の負荷を軽減させることができる。
【００２７】
この電気光学装置において、前記複数の走査線のうち前記第１の選択信号が出力される走査線と、前記第１の選択信号が出力された直後に前記第２の選択信号が出力される走査線とは、互いに隣り合っていなくてもよい。
【００２８】
これによれば、各走査線を選択して画像データ信号を画素回路に供給する期間と、各走査線を選択して文字データ信号を画素回路に供給する期間を分散させることができるとともに、それら信号を供給する画素回路も分散することができる。その結果、前記第１の選択信号と次の第１の選択信号の間に前記第２の選択信号の出力があるため、例えば、画像データ信号の信号処理時間を長く確保でき信号処理の負荷を軽減させることができる。
【００２９】
この電気光学装置において、前記画像データ信号は、アナログデータ信号であり、前記文字データ信号はデジタルデータ信号であってもよい。
これによれば、例えば、アナログデータ信号よりなる画像データ信号の信号処理レートを、デジタルデータ信号よりなる文字データ信号の信号処理レートより緩和させることができる。
【００３０】
この電気光学装置において、前記画像データ信号は、電流信号であり、前記文字データ信号は電圧信号であってもよい。
これによれば、例えば、電流信号よりなる画像データ信号の信号処理の負荷を軽減させることができる。
【００３１】
本発明の電気光学装置の駆動方法は、複数の走査線と複数のデータ線との交差部に対応して配置された複数の単位回路を備えた電気光学装置の駆動方法であって、前記複数のデータ線のうち少なくとも一部のデータ線に画像データ信号を出力する第１のステップと、前記複数のデータ線のうち少なくとも一部のデータ線に文字データ信号を出力する第２のステップとを含み、前記複数の単位回路のうち、前記画像データ信号が供給される単位回路を選択するための第１の選択信号を出力し、前記複数の単位回路のうち、前記文字データ信号が供給される単位回路を選択するための第２の選択信号を出力し、前記複数の走査線のうち、前記第１の選択信号が出力される走査線と、前記第１の選択信号が出力された直後に前記第２の選択信号が出力される走査線とは互いに異なっている。
【００３２】
これによれば、各走査線の各々に、画像データ信号を画素回路に供給するために走査線を選択する選択期間と、文字データ信号を画素回路に供給するために走査線を選択する選択期間とが設けられる。つまり、画像データ信号を画素回路に供給するための期間と文字データ信号を画素回路に供給するための期間を分散させた。その結果、画像データ信号の信号処理レートと文字データ信号の信号処理レートを個々に設定でき、例えば、画像データ信号の信号処理の負荷を軽減させることができる。その結果、スーパーインポーズ表示において高品位な画像を得ることができる。
【００３３】
本発明の電気光学装置の駆動方法は、複数の走査線と複数のデータ線との交差部に対応して配置された複数の単位回路を備えた電気光学装置の駆動方法であって、前記複数のデータ線のうち少なくとも一部のデータ線に電流信号を出力する第１のステップと、前記複数のデータ線のうち少なくとも一部のデータ線に電圧信号を出力する第２のステップとを含み、前記複数の単位回路のうち、前記電流信号が供給される単位回路を選択するための第１の選択信号を出力し、前記複数の単位回路のうち、前記電圧信号が供給される単位回路を選択するための第２の選択信号を出力する。
【００３４】
これによれば、各走査線の各々に、電流信号を画素回路に供給するために走査線を選択する選択期間と、電圧信号を画素回路に供給するために走査線を選択する選択期間とが設けられる。つまり、電流信号を画素回路に供給するための期間と電圧信号を画素回路に供給するための期間を分散させた。その結果、電流信号の信号処理レートと電圧信号の信号処理レートを個々に設定でき、例えば、電圧信号の信号処理の負荷を軽減させることができる。その結果、スーパーインポーズ表示において高品位な画像を得ることができる。
【００３５】
この電気光学装置の駆動方法において、前記複数の走査線のうち、前記第１の選択信号が出力される走査線と、前記第１の選択信号が出力された直後に前記第２の選択信号が出力される走査線とは、互いの異なってもよい。
【００３６】
これによれば、各走査線を選択して電流信号を画素回路に供給する期間と、各走査線を選択して電圧信号を画素回路に供給する期間を分散させることができるとともに、それら信号を供給する画素回路も分散することができる。その結果、前記第１の選択信号と次の第１の選択信号の間に前記第２の選択信号の出力があるため、例えば、画像データ信号の信号処理時間を長く確保でき信号処理の負荷を軽減させることができる。
【００３７】
この電気光学装置の駆動方法において、前記複数の走査線のうち前記第１の選択信号が出力される走査線と、前記第１の選択信号が出力された直後に前記第２の選択信号が出力される走査線とは、互いに隣り合っていなくてもよい。
【００３８】
これによれば、各走査線を選択して画像データ信号を画素回路に供給する期間と、各走査線を選択して文字データ信号を画素回路に供給する期間を分散させることができるとともに、それら信号を供給する画素回路も分散することができる。その結果、前記第１の選択信号と次の第１の選択信号の間に前記第２の選択信号の出力があるため、例えば、画像データ信号の信号処理時間を長く確保でき信号処理の負荷を軽減させることができる。
【００３９】
本発明における電子機器は、上記の電気光学装置を搭載した。
これによれば、スーパーインポーズ表示において高品位な画像を得ることができる。
【００４０】
【発明の実施の形態】
（第１実施形態）
以下、本発明を具体化した第１実施形態を図１〜図４に従って説明する。
【００４１】
図１は、電子装置として有機エレクトロルミネッセンス表示装置（以下、有機ＥＬ表示装置という）１０の電気的構成を示すブロック回路を示す。図２は、表示パネル部とデータ線駆動回路の内部構成を示す回路図を示す。
【００４２】
図１において、有機ＥＬ表示装置１０は、表示パネル部１１、データ線駆動回路１２、走査線駆動回路１３、メモリ１４、発振回路１５、電源回路１６及び制御回路１７を備えている。
【００４３】
有機ＥＬ表示装置１０の表示パネル部１１、データ線駆動回路１２、走査線駆動回路１３、メモリ１４、発振回路１５、電源回路１６及び制御回路１７は、それぞれ独立した電子部品で構成されてもよい。表示パネル部１１、データ線駆動回路１２、走査線駆動回路１３、メモリ１４、発振回路１５、電源回路１６及び制御回路１７の全部又は一部が、一体となった電子部品として構成してもよい。例えば、表示パネル部１１に、データ線駆動回路１２と走査線駆動回路１３が一体的に形成されていてもよい。また、データ線駆動回路１２、走査線駆動回路１３、メモリ１４、発振回路１５、電源回路１６及び制御回路１７の全部又は一部が、プログラマブルなＩＣチップで構成され、その機能がＩＣチップに書き込まれたプログラムによりソフトウェア的に実現されてもよい。
【００４４】
表示パネル部１１は、図２に示すように、列方向に沿ってのびる複数のデータ線Ｘｍ（ｍは自然数）と、行方向に沿ってのびる複数の走査線Ｙｎ（ｎは自然数）が形成されている。尚、図２では、説明の便宜上、９本のデータ線Ｘ１〜Ｘ９と９本の走査線Ｙ１〜Ｙ９のみが形成された表示パネル部１１を示している。
【００４５】
そして、複数のデータ線Ｘｍと複数の走査線Ｙｎとの交差部に対応する各位置には、単位回路としての画素回路２０は配列されている。つまり、各画素回路２０は、その列方向に沿ってのびる複数のデータＸｍと、行方向に沿ってのびる複数の走査線との間にそれぞれ接続されることにより、各画素回路２０は、マトリクス状に配列されている。各画素回路２０には、有機エレクトロルミネッセンス素子（以下、有機ＥＬ素子という）２１を有している。有機ＥＬ素子２１は、駆動電流が供給されることによって発光する発光素子であって、駆動電流の大きさに応じた階調で発光する。
【００４６】
図３に示すように、各画素回路２０は、駆動トランジスタＱ１、スイッチングトランジスタＱ２及び保持キャパシタＣ１を備えている。駆動トランジスタＱ１はＰチャネルＴＦＴより構成され、スイッチングトランジスタＱ２はＮチャネルＴＦＴより構成されている。
【００４７】
駆動トランジスタＱ１は、ドレインが有機ＥＬ素子２１の陽極に接続され、ソースが駆動電圧Ｖｄｄが印加される駆動電源線ＶＬに接続されている。駆動トランジスタＱ１のゲートには、保持キャパシタＣ１が接続されている。その保持キャパシタＣ１の他端は駆動電源線ＶＬに接続されている。
【００４８】
スイッチングトランジスタＱ２は、そのゲートが対応する走査線Ｙ１〜Ｙｎに接続されている。スイッチングトランジスタＱ２は、ドレインが対応するデータ線Ｘ１〜Ｘｍに接続され、ソースが駆動トランジスタＱ１のゲートとともに保持キャパシタＣ１に接続されている。
【００４９】
なお、画素回路２０内に形成されるトランジスタＱ１，Ｑ２は、薄膜トランジスタ（ＴＦＴ）にて構成される。
データ線駆動回路１２は、図２に示すように、各データ線Ｘ１〜Ｘｍに対して単一ライン駆動回路３０を備えている。各単一ライン駆動回路３０は、各データ線Ｘ１〜Ｘｍを介してそれぞれ対応する画素回路２０に画像用データ電圧ＶＤを供給するとともに、文字用データ電圧ＶＣを供給する。
【００５０】
画素回路２０は、この画像用データ電圧ＶＤの値（アナログ値）に応じて同画素回路２０の保持キャパシタＣ１の電荷量が設定され、これに応じて有機ＥＬ素子２１に流れる電流値が制御される。また、画素回路２０は、文字用データ電圧ＶＣの値（２値）に応じた電荷量が、同画素回路２０の保持キャパシタＣ１に蓄積される。
【００５１】
各単一ライン駆動回路３０は、図３に示すように、第１データ線駆動回路部としての画像用データ電圧生成回路３ａと第２データ線駆動回路部としての文字用データ電圧生成回路３０ｂを備えている。
【００５２】
画像用データ電圧生成回路３０ａは、それぞれ第１スイッチＱ１１を介して対応するデータ線Ｘ１〜Ｘｍに接続された画素回路２０にそれぞれの画像用データ電圧ＶＤを供給する。尚、画像用データ電圧生成回路３０ａが生成する画像用データ電圧ＶＤは、前記したようにアナログ値（多値）であって、本実施形態では６４通りの電圧値が生成されるようになっている。
【００５３】
文字用データ電圧生成回路３０ｂは、それぞれ第２スイッチＱ１２を介して対応するデータ線Ｘ１〜Ｘｍに接続された画素回路２０にそれぞれの文字用データ電圧ＶＣを供給する。文字用データ電圧生成回路３０ｂが生成する文字用データ電圧ＶＣは、前記したように２値であって、前記駆動トランジスタＱ１をオフさせるための電圧値とオンさせるための電圧値とが生成されるようになっている。
【００５４】
各単一ライン駆動回路３０に設けられた第１スイッチＱ１１及び第２スイッチＱ１２は、ＮチャネルＦＥＴより構成されている。第１スイッチＱ１１は、第１のゲート信号Ｇ１によって導通制御される。第２スイッチＱ１２は、第２のゲート信号Ｇ２によって導通制御される。従って、第１及び第２スイッチＱ１１，Ｑ１２をそれぞれ導通制御することによって、画像用データ電圧ＶＤと文字用データ電圧ＶＣのいずれかを対応するデータ線Ｘｍに供給することができる。
【００５５】
走査線駆動回路１３は、複数の走査線Ｙｎの中の１本を適宜選択し１行分の画素回路群を選択する。走査線駆動回路１３は、本実施形態では、デコーダ回路を備え、制御回路１７からアドレス信号ＡＤｎに基づいて各走査線Ｙ１〜Ｙｎの中から１本を適宜選択しその１本に対応する走査信号ＳＣ１（Ｙｎ）を出力するようになっている。つまり、制御回路１７から順次出力されるアドレス信号ＡＤｎによって、各走査線Ｙｎを上から順番に選択することができるばかりでなく、任意（例えば、一つおきに）に各走査線Ｙｎを選択することができる。
【００５６】
そして、スイッチングトランジスタＱ２をオン状態にする走査信号ＳＣ１（Ｙｎ）によって選択された走査線上の各画素回路のスイッチングトランジスタＱ２がオン状態となる。すると、その時の第１、第２スイッチＱ１１，Ｑ１２の導通状態で各データ線を介してそれぞれ対応する画像用データ電圧ＶＤ又は文字用データ電圧ＶＣが保持キャパシタＣ１に保持される。
【００５７】
メモリ１４は、コンピュータ１８から供給される表示データを記憶する。発振回路１５は、基準動作信号を有機ＥＬ表示装置１０の制御回路１７を含む他の回路に供給する。電源回路１６は、有機ＥＬ表示装置１０の各構成要素の駆動電源を生成し供給する。
【００５８】
制御回路１７は、表示パネル部１１、データ線駆動回路１２、走査線駆動回路１３、メモリ１４、発振回路１５及び電源回路１６を統括制御する。制御回路１７は、表示パネル部１１に表示状態（画像）を表すメモリ１４に記憶した表示データ（画像データ）を、各有機ＥＬ素子２１の発光の階調を表すマトリクスデータに変換する。マトリクスデータは、選択する走査線を指定するためのアドレス信号ＡＤｎと、選択された画素回路群の有機ＥＬ素子２１の輝度を設定するための画像用データ電圧ＶＤを決定するための第１のデータ線駆動信号を含む。そして、制御回路１７は、アドレス信号ＡＤｎを走査線駆動回路１３に出力するとともに、第１のデータ線駆動信号をデータ線駆動回路１２（対応する各画像用データ電圧生成回路３０ａ）に出力するようになっている。
【００５９】
また、制御回路１７は、コンピュータ１８から、表示データに基づいて表示パネル部１１に表示される画像に所定の文字を重畳（スーパーインポーズ）させるための文字データを入力する。制御回路１７は、一旦、文字データをメモリ１４に前記表示データ（画像データ）とともに記憶するようになっている。制御回路１７は、表示データと同様に、文字データに基づいて選択された画素回路群の有機ＥＬ素子２１の輝度を設定するための文字用データ電圧ＶＣを決定するための第２のデータ線駆動信号をデータ線駆動回路１２（対応する各文字用データ電圧生成回路３０ｂ）に出力する。
【００６０】
つまり、制御回路１７は、表示データとともに文字用データをコンピュータ１８から入力されたとき、スーパーインポーズモードとなる。制御回路１７は、スーパーインポーズモードになると、表示パネル部１１に表示データに基づく画像に文字データに基づく文字を重畳させるために、表示データに基づく第１のデータ線駆動信号とともに文字データに基づく第２のデータ線駆動信号の生成処理動作を行う。
【００６１】
また、制御回路１７は、スーパーインポーズモードにおいて、選択した走査線上の各画素回路に対しての表示データに基づく画像用データ電圧の書き込みの選択及び文字データに基づく文字用データ電圧の書き込みのための走査線の選択する順番を予め設定している。本実施形態では、画像用データ電圧の書き込みのための走査線の選択を第１の選択に相当し、文字用データ電圧の書き込みのための走査線の選択が第２の選択に相当する。
【００６２】
また、本実施形態では、画像用データ電圧の書き込みのための走査線と、文字用データ電圧の書き込みのための走査線を交互に選択するとともに、それら走査線を選択する時、１つ前に選択された走査線と隣り合う走査線以外の走査線を選択する。制御回路１７はそのためのアドレス信号ＡＤｎを生成するようになっている。
【００６３】
さらに、走査線Ｙｎとデータ線Ｘｍの駆動タイミング制御を行うとともに、前記単一ライン駆動回路３０の第１及び第２スイッチＱ１１，Ｑ１２の導通制御を行うゲート信号Ｇ１，Ｇ２を出力する。
【００６４】
次に、上記のように構成した有機ＥＬ表示装置１０のスーパーインポーズモード時の作用について、制御回路１７の走査線の選択動作に従って説明する。尚、説明を容易にするために、６本の走査線Ｙ１〜Ｙ６からなる有機ＥＬ表示装置１０を例にして説明する。図４は、６本の走査線Ｙ１〜Ｙ６に出力される走査信号ＳＣ１〜ＳＣ６のタイミングチャートを示す。
【００６５】
制御回路１７は、各走査線Ｙ１〜Ｙ６に対して走査信号ＳＣ１（Ｙ１）〜ＳＣ１（Ｙ６）によって設定される第１セット期間Ｔ１中にその選択された走査線上の各画素回路２０に画像用データ電圧ＶＤを書き込ませる。制御回路１７は、第１セット期間Ｔ１終了後、予め定めた時間Ｔｘ１経過すると、各走査線Ｙ１〜Ｙ６に対して設定される第２セット期間Ｔ２中に選択された走査線上の各画素回路２０に文字用データ電圧ＶＣを書き込ませる。制御回路１７は、第２セット期間Ｔ２終了後、予め定めた時間Ｔｘ２経過すると、前記した第１セット期間Ｔ１を設定するために各走査線Ｙ１〜Ｙ６に対して走査信号ＳＣ１（Ｙ１）〜ＳＣ１（Ｙ６）を出力させて、以後同様な選択を繰り返して各画素回路を駆動させる。
【００６６】
さらに、制御回路１７は、メモリ１４に記憶した表示データ（画像データ）及び文字データに基づいて、前記したタイミングで走査線Ｙ１〜Ｙ６を選択してその走査線上の各画素回路２０を駆動させる場合、その選択する走査線の順番を求める。つまり、画像用データ電圧の書き込み（第１セット）のための走査線と、文字用データ電圧の書き込み（第２セット）のための走査線が交互に選択されるとともに、それら走査線を選択する時、１つ前の走査線と隣り合う走査線以外の走査線が選択されるように順番が設定する。
【００６７】
因みに、図４に示すように、制御回路１７は、文字を重ね合わせ画像を表示するために、走査線Ｙ１（第１セット）→走査線Ｙ４（第２セット）→走査線Ｙ２（第１セット）→走査線Ｙ５（第２セット）→走査線Ｙ３（第１セット）→走査線Ｙ６（第２セット）→走査線Ｙ４（第１セット）→走査線Ｙ１（第２セット）→走査線Ｙ５（第１セット）→走査線Ｙ２（第２セット）→走査線Ｙ６（第１セット）→走査線Ｙ３（第２セット）の順番で第１セット又は第２セットのために走査線を選択しその選択の順番を繰返すようにアドレス信号ＡＤｎを走査線駆動回路１３に出力する。
【００６８】
これからもわかるように、文字を重ね合わせ画像を生成する際、各走査線上の各画素回路は、１フレーム期間中に２回選択される。
走査線駆動回路１３は、所定のタイミングで入力されてくるアドレス信号ＡＤｎに基づいてそのアドレス信号ＡＤｎで指定される走査線Ｙ１〜Ｙ６中の走査線に対応する走査信号ＳＣ１（Ｙ１）〜ＳＣ１（Ｙ６）を出力する。このとき、制御回路１７は、アドレス信号ＡＤｎを出力するとき、画像用データ電圧ＶＤの書き込みのための選択か、文字用データ電圧ＶＣを書き込みのための選択かの情報（第１、第２のゲート信号Ｇ１，Ｇ２）をデータ線駆動回路１２に出力する。
【００６９】
さらに、制御回路１７は、第１セットのためにアドレス信号ＡＤｎを出力する時、その選択される走査線上の各画素回路に画像データのためのデータ（第１のデータ線駆動信号）を、データ線駆動回路１２の単一ライン駆動回路３０（画像用データ電圧生成回路３０ａ）に出力する。また、制御回路１７は、第２セットのためにアドレス信号ＡＤｎを出力する時、その選択される走査線上の各画素回路に書き込む文字用データ信号のためのデータ（第２のデータ線駆動信号）を、データ線駆動回路１２の単一ライン駆動回路３０（文字用データ電圧生成回路３０ｂ）に出力する。
【００７０】
次に、選択された走査線上の各画素回路２０の作用について説明する。尚、説明の便宜上、図３に示す、走査線Ｙｎの各画素回路２０の回路図に従って説明する。
【００７１】
今、スーパーインポーズモードになって、制御回路１７から第１スイッチＱ１１をオン状態にする第１のゲート信号Ｇ１が出力されて、第１スイッチＱ１１がオンされる。このオン状態で、第１セットのためのアドレス信号ＡＤｎに基づいて走査線ＹｎにスイッチングトランジスタＱ２をオン状態にする走査信号ＳＣ１（Ｙｎ）が第１セット期間Ｔ１だけ出力されると、スイッチングトランジスタＱ２がオンする。この時、データ線Ｘｍから画像用データ電圧ＶＤが保持キャパシタＣ１に供給される。
【００７２】
選択された走査線上の各画素回路の保持キャパシタＣ１はそれぞれ画像用データの値の応じた電荷量が蓄積される。その結果、駆動トランジスタＱ１は、保持キャパシタＣ１に蓄積された電荷量に応じた導通状態となり、その電荷量に応じた駆動電流が有機ＥＬ素子２１に供給される。有機ＥＬ素子２１は、供給される駆動電流に基づいて表示データ（画像データ）で設定した階調で発光する。
【００７３】
第１セット期間Ｔ１が終了して、スイッチングトランジスタＱ２をオフ状態にする走査信号ＳＣｎ及び第１スイッチＱ１１をオフ状態にする第１のゲート信号Ｇ１が供給されると、スイッチングトランジスタＱ２と第１スイッチＱ１１がオフされると、画像用データ電圧ＶＤの供給が遮断される。この時、スイッチングトランジスタＱ２のオフによって、保持キャパシタＣ１は画像用データ電圧の値の応じた電荷量が保持される。その結果、有機ＥＬ素子２１は、スイッチングトランジスタＱ２をオフ状態にする走査信号ＳＣ１（Ｙｎ）及び第１スイッチＱ１１をオフ状態にする第１のゲート信号Ｇ１が供給されても、表示データ（画像データ）で設定した階調で発光する。
【００７４】
やがて、画像表示のための発光期間Ｔ３が経過すると、第２セットのためのアドレス信号ＡＤｎに基づいて走査線Ｙｎに走査信号ＳＣ１（Ｙｎ）が第２セット期間Ｔ２だけ出力される。スイッチングトランジスタＱ２をオン状態にする走査信号ＳＣ１（Ｙｎ）が出力されると、スイッチングトランジスタＱ２がオンする。このとき、制御回路１７から第２スイッチＱ１２をオン状態にする第２のゲート信号Ｇ２が出力されて、第２スイッチＱ１２がオンされる。スイッチングトランジスタＱ２と第２スイッチＱ１２がオンされると、データ線Ｘｍから文字用データ電圧ＶＣが保持キャパシタＣ１に供給される。
【００７５】
選択された走査線上の各画素回路の保持キャパシタＣ１はそれぞれ文字用データ電圧ＶＣの値の応じた電荷量が蓄積される。その結果、駆動トランジスタＱ１は、保持キャパシタＣ１に蓄積された電荷量に応じた導通状態となり、その電荷量（文字用データ電圧ＶＣの値）に応じた駆動電流が有機ＥＬ素子２１に供給される。有機ＥＬ素子２１は、供給される駆動電流に基づいて文字データで設定した階調で発光する。
【００７６】
第２セット期間Ｔ２が終了して、スイッチングトランジスタＱ２をオフ状態にする走査信号ＳＣ１（Ｙｎ）及び第２スイッチＱ１２をオフ状態にする第２のゲート信号Ｇ２が供給される。そして、スイッチングトランジスタＱ２と第２スイッチＱ１２がそれぞれオフし、文字用データ電圧ＶＣの供給が遮断される。この時、スイッチングトランジスタＱ２がオフ状態になることによって、保持キャパシタＣ１は文字用データ電圧の値の応じた電荷量が保持される。その結果、有機ＥＬ素子２１は、スイッチングトランジスタＱ２をオフ状態にする走査信号ＳＣ１（Ｙｎ）及び第２スイッチＱ１２をオフ状態にする第２のゲート信号Ｇ２が供給されても、文字用データで設定した階調で発光する。
【００７７】
やがて、文字表示のための発光期間Ｔ４が経過すると、その走査線上の画素回路における、文字を重ね合わせた１フレームの画像を表示するための動作が終了する。そして、前記と同様な動作を繰返すことにより次の新たな１フレームに文字を含む画像が表示されることになる。
【００７８】
次に、上記のように構成した有機ＥＬ表示装置１０の特徴を以下に記載する。（１）本実施形態によれば、スーパーインポーズモードにおいて、画像データに対応した画像用データ電圧の書き込みと、文字データに対応した文字用データ電圧の書き込みとを、交互に行い、かつ、画像用データ電圧に基づく発光期間Ｔ３と、文字に対応した文字用データ電圧に基づく発光期間Ｔ４を別々に設定した。
【００７９】
従って、１フレーム期間中において、画像用データ電圧の書き込みの周期は、その間に文字用データ電圧の書き込みをする期間が設けられていることから長くすることできる。画像データから画像用データ電圧ＶＤを生成し書き込みするための信号処理時間を確保でき、書き込みのための制御回路１７及び画像用データ電圧生成回路３０ａの負荷を軽減することができる。
【００８０】
（２）本実施形態によれば、走査線を選択するとき、１つ前に選択された走査線と隣り合う走査線以外の走査線が選択されるように順番を設定するようにした。従って、各走査線Ｙ１〜Ｙ６の第１セット期間Ｔ１が集中することなく分散されることから、画像用データ電圧生成回路３０ａの負荷が軽減される。
【００８１】
なお、本実施形態では、第１セット及び第２セットのために走査線を図４に示すように選択したが、図５に示すように走査線を選択してもよい。
図５に示すように、走査線Ｙ１（第１セット）→走査線Ｙ２（第２セット）→走査線Ｙ３（第１セット）→走査線Ｙ４（第２セット）→走査線Ｙ５（第１セット）→走査線Ｙ６（第２セット）→走査線Ｙ１（第２セット）→走査線Ｙ２（第１セット）→走査線Ｙ３（第２セット）→走査線Ｙ４（第１セット）→走査線Ｙ５（第２セット）→走査線Ｙ６（第１セット）の順で第１セット及び第２セットのための走査線を選択してもよい。
【００８２】
つまり、奇数番目の走査線及び偶数番目の走査線のいずれか一方を、画像用データを書き込むために選択し、他方に文字用データを書き込むために選択するとともに、時間的に画像用データの書き込みと文字用データの書き込みを交互に行う。
【００８３】
なお、奇数番目の走査線及び偶数番目の走査線のいずれか一方を選択して、画像データ書き込みを連続して行った後、引き続いて、奇数番目の走査線及び偶数番目の走査線のいずれか他方に文字用データを連続して書き込むようにしてもよい。この場合、短い時間スケールでは、データ書き込みが時間的に集中するという問題はあるが、文字用データを書き込む期間を、次の画像用データの書き込みを行うためのデータ準備期間として利用できる。要は、どのような繰り返し単位であっても、画像用データの書き込みと文字用データの書き込みとを交互に繰返すことにより、文字用データを書き込む期間あるいは文字用データに基づく発光状態を維持している期間を、データ線を介して供給される画像用データを供給する準備する期間として利用できる。
【００８４】
（第２実施形態）
次に、第２実施形態の有機ＥＬ表示装置について図６に従って説明する。本実施形態の有機ＥＬ表示装置では、アナログデータ信号又は画像データ信号としての画像用データが電流である点が前記第１実施形態と相違する。そして、その相違に基づいて画素回路とデータ線駆動回路の単一ライン駆動回路が若干その構成を異にする。従って、説明の便宜上、相違する部分について詳細に説明する。
【００８５】
図６は画素回路の内部構成を示し、各画素回路２０は、駆動トランジスタＱ２０、第１及び第２スイッチングトランジスタＱ２１，Ｑ２２、駆動開始トランジスタＱ２３、及び、保持キャパシタＣ１を有している。駆動トランジスタＱ２０は、ＰチャネルＦＥＴより構成されている。第１及び第２スイッチングトランジスタＱ２１，Ｑ２２及び駆動開始トランジスタＱ２３はＮチャネルＦＥＴより構成されている。
【００８６】
駆動トランジスタＱ２０は、ドレインが駆動開始トランジスタＱ２３を介して有機ＥＬ素子２１の陽極に接続され、ソースが駆動電源線ＶＬに接続されている。駆動電源線ＶＬには、有機ＥＬ素子２１を駆動させるための駆動電圧Ｖｄｄが供給されている。駆動トランジスタＱ２０のゲートと駆動電源線ＶＬとの間には、保持キャパシタＣ１が接続されている。
【００８７】
また、駆動トランジスタＱ２０のゲートには、第１スイッチングトランジスタＱ２１のドレインに接続されている。第１スイッチングトランジスタＱ２１のソースは、第２スイッチングトランジスタＱ２２のドレインと接続されている。また、第２スイッチングトランジスタＱ２２のドレインは駆動トランジスタＱ２０のドレインに接続されている。
【００８８】
さらに、第２スイッチングトランジスタＱ２２のソースは、データ線Ｘｍを介してデータ線駆動回路１２の単一ライン駆動回路３０に接続されている。単一ライン駆動回路３０は、
各単一ライン駆動回路３０は、前記第１実施形態の画像用データ電圧生成回路３０ａに代えて画像用データ電流生成回路４０ａが設けられている。画像用データ電流生成回路４０ａは、それぞれ各画素回路２０に対してアナログデータ信号又は画像データ信号としての画像用データ電流ＩＤを生成し出力する。画像用データ電流生成回路４０ａは、第１スイッチＱ１１を介してデータ線Ｘｍに接続される。尚、データ線Ｘｍは、第２スイッチＱ１２を介して文字用データ電圧生成回路３０ｂと接続されている。
【００８９】
従って、第１スイッチＱ１１がオンすると、データ線Ｘｍを介して各画素回路２０に画像用データ電流ＩＤが供給される。また、第２スイッチＱ１２がオンすると、データ線Ｘｍを介して各画素回路２０に文字用データ電圧ＶＣが供給される。
【００９０】
また、第１及び第２スイッチングトランジスタＱ２１，Ｑ２２のゲートには、第１の走査線Ｙｎ１が接続されている。そして、第１の走査線Ｙｎ１に第１及び第２スイッチングトランジスタＱ２１，Ｑ２２をオン状態にする第１走査信号ＳＣｎ１（Ｙｎ）が供給されることによって、第１及び第２スイッチングトランジスタＱ２１，Ｑ２２がオンされるようになっている。つまり、第１走査信号ＳＣｎ１（Ｙｎ）によって、第１実施形態の第１セット期間Ｔ１と第２セット期間Ｔ２が決定されることになる。
【００９１】
さらに、駆動開始トランジスタＱ２３のゲートには、第２の走査線Ｙｎ２が接続されている。そして、第２の走査線Ｙｎ２に駆動開始トランジスタＱ２３をオン状態にする第２走査信号ＳＣｎ２（Ｙｎ）が供給されることよって、駆動開始トランジスタＱ２３がオンされるようになっている。つまり、第２走査信号ＳＣｎ２によって、第１実施形態の画像表示のための発光期間Ｔ３と文字表示のための発光期間Ｔ４が決定されることになる。
【００９２】
今、スーパーインポーズモードになって、制御回路１７から第１スイッチＱ１１をオン状態にする第１のゲート信号Ｇ１が出力されて、第１スイッチＱ１１がオンされる。この状態で、第１セットのためのアドレス信号ＡＤｎに基づいて第１の走査線Ｙｎ１に第１及び第２スイッチングトランジスタＱ２１，Ｑ２２をオン状態にする走査信号ＳＣｎ１（Ｙｎ）が第１セット期間Ｔ１だけ出力されると、第１及び第２スイッチングトランジスタＱ２１，Ｑ２２がオンする。
【００９３】
第１スイッチＱ１１とスイッチングトランジスタＱ２１，Ｑ２２がオンされると、データ線Ｘｍから画像用データ電流ＩＤが保持キャパシタＣ１に供給される。
【００９４】
従って、選択された走査線上の各画素回路の保持キャパシタＣ１はそれぞれ画像用データの値の応じた電荷量が蓄積される。その結果、駆動トランジスタＱ２０のゲート電圧は、保持キャパシタＣ１に蓄積された電荷量に応じたゲート電圧となる。
【００９５】
第１セット期間Ｔ１が経過すると、アドレス信号ＡＤｎに基づいて第２の走査線Ｙｎ２に駆動開始トランジスタＱ２３がオン状態にする走査信号ＳＣｎ２（Ｙｎ）が出力されて駆動開始トランジスタＱ２３がオンする。駆動開始トランジスタＱ２３がオンすると、駆動トランジスタＱ２０は、前記ゲート電圧に応じた導通状態となり、そのゲート電圧（画像用データ電流の値）に応じた駆動電流を有機ＥＬ素子２１に供給する。有機ＥＬ素子２１は、供給される駆動電流に基づいて表示データ（画像データ）で設定した階調で発光する。この時点で、画像表示のための発光期間Ｔ３が開始することになる。発光期間Ｔ３の開始とともに、第１及び第２スイッチングトランジスタＱ２１，Ｑ２２をオフ状態にする第１走査信号ＳＣｎ１（Ｙｎ）及び第１スイッチＱ１１をオフ状態にする第１のゲート信号Ｇ１が供給されてスイッチングトランジスタＱ２１，Ｑ２２と第１スイッチＱ１１がオフされる。その結果、画像用データ電流ＩＤの供給が遮断される。この時、スイッチングトランジスタＱ２１，Ｑ２２のオフによって、保持キャパシタＣ１は画像用データ電流の値の応じた電荷量が保持される。その結果、有機ＥＬ素子２１は、第１及び第２スイッチングトランジスタＱ２１，Ｑ２２をオフ状態にする第１走査信号ＳＣｎ１及び第１スイッチＱ１１をオフ状態にする第１のゲート信号Ｇ１が消失しても、表示データ（画像データ）で設定した階調で発光する。
【００９６】
やがて、画像表示のための発光期間Ｔ３が経過すると、駆動開始トランジスタＱ２３がオフ状態にする第２の走査線Ｙｎ２（Ｙｎ）に走査信号ＳＣｎ２が供給される。これによって、駆動開始トランジスタＱ２３がオフし有機ＥＬ素子２１への駆動電流の供給が遮断されて有機ＥＬ素子２１の発光は停止する。
【００９７】
これと同時に、制御回路１７から第２スイッチＱ１２をオン状態にする第２のゲート信号Ｇ２が出力されて、第２スイッチＱ１２がオンされる。また、第２セットのためのアドレス信号ＡＤｎに基づいて第１の走査線Ｙｎ１に第１及び第２スイッチングトランジスタＱ２１，Ｑ２２をオン状態にする第１走査信号ＳＣｎ１（Ｙｎ）が第２セット期間Ｔ２だけ出力される。スイッチングトランジスタＱ２１，Ｑ２２と第２スイッチＱ１２がオンされると、データ線Ｘｍから文字用データ電圧ＶＣが保持キャパシタＣ１に供給される。
【００９８】
選択された走査線上の各画素回路の保持キャパシタＣ１はそれぞれ文字用データ電圧ＶＣの値の応じた電荷量が蓄積される。その結果、駆動トランジスタＱ２０のゲート電圧は、保持キャパシタＣ１に蓄積された電荷量に応じたゲート電圧となる。
【００９９】
第２セット期間Ｔ２が経過すると、アドレス信号ＡＤｎに基づいて第２の走査線Ｙｎ２に駆動開始トランジスタＱ２３をオン状態にする走査信号ＳＣｎ２が出力されて駆動開始トランジスタＱ２３がオンする。駆動開始トランジスタＱ２３がオンすると、駆動トランジスタＱ２０は、前記ゲート電圧に応じた導通状態となり、そのゲート電圧（文字用データ電圧の値）に応じた駆動電流を有機ＥＬ素子２１に供給する。有機ＥＬ素子２１は、供給される駆動電流に基づいて文字データで設定した階調で発光する。この時点で、文字表示のための発光期間Ｔ４が開始することになる。
【０１００】
発光期間Ｔ４の開始とともに、第１及び第２スイッチングトランジスタＱ２１，Ｑ２２をオフ状態にする第１走査信号ＳＣｎ１（Ｙｎ）及び第２スイッチＱ１２をオフ状態にする第２のゲート信号Ｇ２が供給されてスイッチングトランジスタＱ２１，Ｑ２２と第２スイッチＱ１２がオフされる。そして、文字用データ電圧ＶＣの供給が遮断される。この時、スイッチングトランジスタＱ２１，Ｑ２２のオフによって、保持キャパシタＣ１は文字用データ電圧の値の応じた電荷量が保持される。その結果、有機ＥＬ素子２１は、第１及び第２スイッチングトランジスタＱ２１，Ｑ２２をオフ状態にする第１走査信号ＳＣｎ１（Ｙｎ）及び第２スイッチＱ１２をオフ状態にする第２のゲート信号Ｇ２が供給されても、文字データで設定した階調で発光する。
【０１０１】
やがて、文字表示のための発光期間Ｔ４が経過すると、その走査線上の画素回路における、文字を重ね合わせた１フレームの画像を表示するための動作が終了する。そして、前記と同様な動作を繰返すことにより次の新たな１フレームに文字を含む画像が表示されることになる。
【０１０２】
この実施形態においても、スーパーインポーズモードにおいて、画像データに対応した画像用データ電流の書き込みと、文字データに対応した文字用データ電圧の書き込みとを、交互に行い、かつ、画像用データ電圧に基づく発光期間Ｔ３と、文字に対応した文字用データ電圧に基づく発光期間Ｔ４を別々に設定できる。従って、第１実施形態と同様な効果を奏する。
（第３実施形態）
次に、第３実施形態の有機ＥＬ表示装置について図７に従って説明する。本実施形態では、第２実施形態で説明した画像用データ電流ＩＤが供給される画素回路２０の構成が相違する。従って、相違する画素回路２０について詳細に説明する。
【０１０３】
図７において、駆動トランジスタＱ２０はそのドレインが有機ＥＬ素子２１の陽極に接続されている。駆動トランジスタＱ２０のゲートは、保持キャパシタＣ１に接続されているとともに、トランジスタＱ２４のゲートに接続されている。トランジスタＱ２４は、そのソースが駆動電源線ＶＬに接続され、ドレインが第２スイッチングトランジスタＱ２２のドレインに接続されている。
【０１０４】
そして、第１及び第２スイッチングトランジスタＱ２１，Ｑ２２は、そのゲートに、走査線Ｙ１を介して入力される走査信号ＳＣ１（Ｙｎ）に基づいて導通制御されるようになっている。つまり、走査信号ＳＣ１（Ｙｎ）によって、第１実施形態の第１セット期間Ｔ１、第２セット期間Ｔ２、画像表示のための発光期間Ｔ３と文字表示のための発光期間Ｔ４が決定されることになる。
【０１０５】
そして、画像用データ電流生成回路４０ａから画像用データ電流ＩＤは、データ線Ｘｍ、第２スイッチングトランジスタＱ２２及び第１スイッチングトランジスタＱ２１を介して保持キャパシタＣ１に充電されるようになっている。また、文字用データ電圧生成回路３０ｂからの文字用データ電圧ＶＣは、データ線Ｘｍ、第２スイッチングトランジスタＱ２２及び第１スイッチングトランジスタＱ２１を介して保持キャパシタＣ１に充電されるようになっている。
【０１０６】
今、スーパーインポーズモードになって、制御回路１７から第１スイッチＱ１１をオン状態にする第１のゲート信号Ｇ１が出力されて、第１スイッチＱ１１がオンされる。このとき、第１セットのためのアドレス信号ＡＤｎに基づいて走査線Ｙｎに第１及び第２スイッチングトランジスタＱ２１，Ｑ２２をオン状態にする走査信号ＳＣ１（Ｙｎ）が第１セット期間Ｔ１だけ出力されると、第１及び第２スイッチングトランジスタＱ２１，Ｑ２２がオンする。
【０１０７】
スイッチングトランジスタＱ２１，Ｑ２２と第１スイッチＱ１１がオンされると、トランジスタＱ２４は、ゲートとドレインが電気的に接続されたダイオード接続になる。その結果、トランジスタＱ２４はデータ線Ｘｍから供給された画像用データ電流ＩＤを自己のチャネルに流し、その画像用データ電流ＩＤに応じたゲート電圧を自己のゲートに発生させる。トランジスタＱ２４のゲートに接続された保持キャパシタＣ１には、トランジスタＱ２４のゲート電圧に応じた電荷が蓄積される。つまり、選択された走査線上の各画素回路の保持キャパシタＣ１はそれぞれ画像用データ電流の値の応じた電荷量が蓄積される。その結果、駆動トランジスタＱ２０のゲート電圧は、保持キャパシタＣ１に蓄積された電荷量に応じたゲート電圧となる。そして、駆動トランジスタＱ２０は、前記ゲート電圧に応じた導通状態となり、そのゲート電圧（画像用データ電流の値）に応じた駆動電流を有機ＥＬ素子２１に供給する。有機ＥＬ素子２１は、供給される駆動電流に基づいて表示データ（画像データ）で設定した階調で発光する。この時点で、画像表示のための発光期間Ｔ３が開始することになる。発光期間Ｔ３の開始とともに、スイッチングトランジスタＱ２１，Ｑ２２をオフ状態にする走査信号ＳＣ１（Ｙｎ）及び第１スイッチＱ１１をオフ状態にする第１のゲート信号Ｇ１が供給されてスイッチングトランジスタＱ２１，Ｑ２２と第１スイッチＱ１１がオフされると、画像用データ電流ＩＤの供給が遮断される。この時、スイッチングトランジスタＱ２１，Ｑ２２のオフによって、保持キャパシタＣ１は画像用データ電流の値の応じた電荷量が保持される。その結果、有機ＥＬ素子２１は、スイッチングトランジスタＱ２１，Ｑ２２をオフ状態にする走査信号ＳＣ１（Ｙｎ）及び第１スイッチＱ１１をオフ状態にする第１のゲート信号Ｇ１が供給されても、表示データ（画像データ）で設定した階調で発光する。
【０１０８】
やがて、画像表示のための発光期間Ｔ３が経過すると、制御回路１７から第２スイッチＱ１２をオン状態にする第２のゲート信号Ｇ２が出力されて、第２スイッチＱ１２がオンされる。このとき、第２セットのためのアドレス信号ＡＤｎに基づいて走査線ＹｎにスイッチングトランジスタＱ２１，Ｑ２２をオン状態にする走査信号ＳＣ１（Ｙｎ）が第２セット期間Ｔ２だけ出力される。スイッチングトランジスタＱ２１，Ｑ２２をオン状態にする走査信号ＳＣ１（Ｙｎ）が出力されると、スイッチングトランジスタＱ２１，Ｑ２２がオンする。
【０１０９】
スイッチングトランジスタＱ２１，Ｑ２２と第２スイッチＱ１２がオンされると、データ線Ｘｍから文字用データ電圧ＶＣが保持キャパシタＣ１に供給される。
【０１１０】
選択された走査線上の各画素回路の保持キャパシタＣ１はそれぞれ文字用データ電圧ＶＣの値の応じた電荷量が蓄積される。その結果、駆動トランジスタＱ２０のゲート電圧は、保持キャパシタＣ１に蓄積された電荷量に応じたゲート電圧となる。そして、駆動トランジスタＱ２０は、前記ゲート電圧に応じた導通状態となり、そのゲート電圧（文字用データ電圧の値）に応じた駆動電流を有機ＥＬ素子２１に供給する。有機ＥＬ素子２１は、供給される駆動電流に基づいて文字データで設定した階調で発光する。この時点で、文字表示のための発光期間Ｔ４が開始することになる。
【０１１１】
発光期間Ｔ４の開始とともに、スイッチングトランジスタＱ２１，Ｑ２２をオフ状態にする走査信号ＳＣ１（Ｙｎ）及び第２スイッチＱ１２をオフ状態にする第２のゲート信号Ｇ２が供給されてスイッチングトランジスタＱ２１，Ｑ２２と第２スイッチＱ１２がオフされる。すると、文字用データ電圧ＶＣの供給が遮断される。この時、スイッチングトランジスタＱ２１，Ｑ２２のオフによって、保持キャパシタＣ１は文字用データ電圧の値の応じた電荷量が保持される。その結果、有機ＥＬ素子２１は、スイッチングトランジスタＱ２１，Ｑ２２をオフ状態にする走査信号ＳＣ１（Ｙｎ）及び第２スイッチＱ１２をオフ状態にする第２のゲート信号Ｇ２が供給されても、文字データで設定した階調で発光する。
【０１１２】
やがて、文字表示のための発光期間Ｔ４が経過すると、その走査線上の画素回路における、文字を重ね合わせた１フレームの画像を表示するための動作が終了する。そして、前記と同様な動作を繰返すことにより次の新たな１フレームに文字を含む画像が表示されることになる。
【０１１３】
この実施形態においても、スーパーインポーズモードにおいて、画像データに対応した画像用データ電流の書き込みと、文字データに対応した文字用データ電圧の書き込みとを、交互に行い、かつ、画像用データ電圧に基づく発光期間Ｔ３と、文字に対応した文字用データ電圧に基づく発光期間Ｔ４を別々に設定できる。従って、第１実施形態と同様な効果を奏する。
【０１１４】
（第４実施形態）
次に、前記各実施形態で説明した有機ＥＬ表示装置１０の電子機器の適用について図８に従って説明する。有機ＥＬ表示装置１０は、モバイル型のパーソナルコンピュータ、携帯電話、デジタルカメラ等種々の電子機器に適用できる。
【０１１５】
図８は、モバイル型パーソナルコンピュータの構成を示す斜視図を示す。図７において、パーソナルコンピュータ６０は、キーボード６１を備え本体部６２と、前記有機ＥＬ表示装置１０を用いた表示ユニット６３を備えている。この場合でも、有機ＥＬ表示装置１０を用いた表示ユニット６３は前記実施形態と同様な効果を発揮し、スーパーインポーズ表示において高品位な画像を表示することができる。
【０１１６】
尚、本発明の実施形態は、以下のように変更してもよい。
○前記各実施形態では、単位回路として画素回路に具体化して好適な効果を得たが、有機ＥＬ素子以外、例えば、無機ＥＬ素子、ＬＥＤ、ＦＥＤ、電子放出素子、プラズマ素子等の発光素子を駆動する単位回路に具体化してもよい。
【０１１７】
○前記実施形態において、画素回路２０を赤、緑及び青用画素回路の３種類の画素回路から構成してもよい。赤用画素回路は、有機材料で構成された発光層から赤色の光を放射する有機ＥＬ素子２１を有している。緑用画素回路は、有機材料で構成された発光層から緑色の光を放射する有機ＥＬ素子２１を有している。青用画素回路は、有機材料で構成された発光層から青色の光を放射する有機ＥＬ素子２１を有している。
【０１１８】
○前記各実施形態では、画像用データ電圧（画像用データ電流）と、文字用データ電圧が交互にデータ線Ｘｍに供給されるように構成した。これを、画像用データ電圧（画像用データ電流）を画素回路に供給するためのデータ線と、文字用データ電圧を画素回路に供給するためのデータ線をそれぞれ別々に設けて実施してもよい。
【０１１９】
○前記各実施形態では、画像用データ電圧（画像用データ電流）と文字用データ電圧とを、データ線Ｘｍの同じ側から同データ線Ｘｍに供給するようにした。これを、データ線Ｘｍを挟んで、画像用データ電圧生成回路３０ａ（画像用データ電流生成回路４０ａ）と第２データ線駆動回路部としての文字用データ電圧生成回路３０ｂを相対向するように配置して実施してもよい。
【０１２０】
○前記各実施形態では、１つの走査線駆動回路１３によって画像用データ電圧又は画像用データ電流を供給するための走査信号と文字用データ電圧を供給するための走査信号を出力する構成であった。これを、画像用データ電圧又は画像用データ電流を供給するための走査信号を出力する走査線駆動回路と、文字用データ電圧を供給するための走査信号を出力する走査線駆動回路をそれぞれ別々に設けて実施してもよい。
【０１２１】
○前記実施形態では、文字は表示パネル部１１のどの位置においても文字が表示される。これを、表示パネル部１１の端の部分に、文字専用の文字表示部を割り当て、その文字表示部の画素回路に文字用データ電圧を供給するようにした電気光学装置に実施してもよい。
【図面の簡単な説明】
【図１】第１実施形態を説明するための有機ＥＬ表示装置の回路構成を示すブロック回路図。
【図２】同じく、表示パネル部の内部回路構成を説明するための回路図。
【図３】同じく、画素回路の内部構成を説明するための回路図。
【図４】同じく、走査線の選択を説明するためのタイミングチャート。
【図５】第１実施形態の変形例を説明するためのタイミングチャート。
【図６】第２実施形態を説明するための画素回路の内部構成を示す回路図。
【図７】第３実施形態を説明するための画素回路の内部構成を示す回路図。
【図８】第４実施形態を説明するためのモバイル型パーソナルコンピュータも構成を示す斜視図。
【符号の説明】
１０…電気光学装置としての有機エレクトロルミネッセンス表示装置（有機ＥＬ表示装置）、１１…表示パネル部、１２…データ線駆動回路、１３…走査線駆動回路、１７…制御回路、２０…単位回路としての画素回路、２１…有機エレクトロルミネッセンス素子（有機ＥＬ素子）、３０…単一ライン駆動回路、３０ａ…第１データ線駆動回路部としての画像用データ電圧生成回路、３０ｂ…第２データ線駆動回路部としての文字用データ電圧生成回路、４０ａ…第１データ線駆動回路部としての画像用データ電流生成回路、６０…電子機器としてのパーソナルコンピュータ、Ｙ１〜Ｙｍ…走査線、Ｘ１〜Ｘｍ…データ線、Ｔ１…第１セット期間、Ｔ２…第２セット期間、Ｔ３，Ｔ４…発光期間、ＶＣ…文字用データ電圧、ＶＤ…画像用データ電圧、Ｑ１１…第１スイッチ、Ｑ１２…第２スイッチ。
【図１】
2005043460.tif 000003
【図２】
2005043460.tif 000004
【図３】
2005043460.tif 000005
【図４】
2005043460.tif 000006
【図５】
2005043460.tif 000007
【図６】
2005043460.tif 000008
【図７】
2005043460.tif 000009
【図８】
2005043460.tif 000010